(57)【要約】【課題】マウスの操作性を低下させることなくマウスに対してその操作中に非接触で電力を供給する。【解決手段】非接触で送電されてくる電力を受電し、該電力によって動作するマウスに電力を供給可能なマウスパッド１であって、マウスの操作面を介して光を受光することにより発電する太陽電池部１０と、太陽電池部１０にて発電した電力を、マウスの操作面に向かって送電する送電回路２２及び伝送コイル２１とを有する。【選択図】図１
2010211462.tif 000002
【特許請求の範囲】
【請求項１】
非接触で送電されてくる電力を受電し、該電力によって動作するマウスに電力を供給可能なマウスパッドであって、
前記マウスの操作面を介して光を受光することにより発電する太陽電池部と、
前記太陽電池部にて発電した電力を、前記マウスの操作面に向かって送電する電力供給手段とを有するマウスパッド。
【請求項２】
請求項１に記載のマウスパッドにおいて、
前記太陽電池部にて発電した電力を蓄電する二次電池と、
前記二次電池に蓄電された電力の前記電力供給手段への供給を制御するスイッチとを有するマウスパッド。
【発明の詳細な説明】
【技術分野】
【０００１】
本発明は、非接触で送電されてくる電力を受電し、該電力によって動作するマウスに電力を供給可能なマウスパッドに関する。
【背景技術】
【０００２】
昨今、情報化社会の進展に伴って、情報を電子データとして取り扱うことが多くなってきている。このように情報を電子データとして取り扱うことにより、情報の検索や更新等を容易に行うことができるようになる。情報を電子データとして取り扱うためには、コンピュータを用いることになるが、近年では、そのようなコンピュータは、企業や団体のみならず、一般家庭にも普及している。
【０００３】
コンピュータを操作するためには、情報を入力するためのキーボードの他に、マウスが利用されており、マウスの利用によってコンピュータに対する操作性が著しく向上している。このようなマウスは、マウスパッド上にて前後左右に移動させることにより、座標を特定するものであり、キーボードやコンピュータ本体に接続されることにより電源が供給されている。近年では、マウスの操作性を向上させるためにワイヤレスマウスも実用されており、例えば、電池を収容可能に構成され、収容された電池によって電源が供給されるものや、二次電池が内蔵されてこの二次電池に充電して利用するものがある。
【０００４】
二次電池が内蔵されたものとして、マウスの表面に太陽電池部を取り付け、この太陽電池部によって二次電池を充電するものや（例えば、特許文献１参照。）、外部電源に接続されたマウスパッドを用い、マウスパッドから非接触でマウスに電力を供給するものがある（例えば、特許文献２参照。）。このような構成とすることにより、ワイヤレスマウスを使用しながら充電することができるようになる。
【先行技術文献】
【特許文献】
【０００５】
【特許文献１】特開平１１−１１０１３０号公報
【特許文献２】特開平１１−９５９２２号公報
【発明の概要】
【発明が解決しようとする課題】
【０００６】
しかしながら、上述したように、マウスの表面に太陽電池部を取り付けた構成を有するものにおいては、マウスの表面に手を置いた状態でマウスを操作することになるため、マウスを操作している際は、太陽電池部の表面が手で覆われてしまい、充電することができないという問題点がある。
【０００７】
また、外部電源に接続されたマウスパッドによってワイヤレスマウスに充電を行うものにおいては、マウスパッドを外部電源に接続しなければならないため、マウスがワイヤレスであることにより操作性が向上するものの、そのマウスが操作されるマウスパッドが外部電源に接続されていることにより、マウスがワイヤレスであることによる操作性が低下してしまうという問題点がある。
【０００８】
本発明は、上述したような従来の技術が有する問題点に鑑みてなされたものであって、マウスの操作性を低下させることなくマウスに対してその操作中に非接触で電力を供給することができるマウスパッドを提供することを目的とする。
【課題を解決するための手段】
【０００９】
上記目的を達成するために本発明は、
非接触で送電されてくる電力を受電し、該電力によって動作するマウスに電力を供給可能なマウスパッドであって、
前記マウスの操作面を介して光を受光することにより発電する太陽電池部と、
前記太陽電池部にて発電した電力を、前記マウスの操作面に向かって送電する電力供給手段とを有する。
【００１０】
上記のように構成された本発明においては、太陽電池部においてマウスの操作面を介して光が受光されると、太陽電池部が発電し、この発電による電力が電力供給手段に供給される。そして、太陽電池部にて発電した電力が、電力供給手段によってマウスの操作面に向かって送電される。電力供給手段から送電された電力は、マウスにて受電され、この電力によってマウスが動作することになる。
【００１１】
このように、光を受光することにより発電してその電力を非接触でマウスに送電するので、マウスの操作性が低下することがなく、マウスに対してその操作中に非接触で電力が供給されることになる。
【００１２】
また、太陽電池部にて発電した電力を蓄電する二次電池と、二次電池に蓄電された電力の電力供給手段への供給を制御するスイッチとを有する構成としたものにおいては、マウスを使用しない状態においてマウスパッド上に載置している場合に、二次電池に蓄電された電力が電力供給手段に供給されないようにすれば、二次電池に蓄電された電力の無駄な消費が回避され、また、マウスの使用時に、二次電池に蓄電された電力が電力供給手段に供給されないようにすれば、電力供給手段からの電力の送電によって人体に悪影響が及ぶことが回避される。
【発明の効果】
【００１３】
以上説明したように本発明においては、非接触で送電されてくる電力を受電し、該電力によって動作するマウスに電力を供給可能なマウスパッドであって、マウスの操作面を介して光を受光することにより発電する太陽電池部と、太陽電池部にて発電した電力を、マウスの操作面に向かって送電する電力供給手段とを有し、光を受光することにより発電してその電力を非接触でマウスに送電する構成としたため、マウスの操作性を低下させることなくマウスに対してその操作中に非接触で電力を供給することができる。
【００１４】
また、太陽電池部にて発電した電力を蓄電する二次電池と、二次電池に蓄電された電力の電力供給手段への供給を制御するスイッチとを有する構成としたものにおいては、マウスを使用しない状態においてマウスパッド上に載置している場合に、二次電池に蓄電された電力が電力供給手段に供給されないようにすれば、二次電池に蓄電された電力の無駄な消費を回避することができ、また、マウスの使用時に、二次電池に蓄電された電力が電力供給手段に供給されないようにすれば、電力供給手段からの電力の送電によって人体に悪影響が及ぶことを回避することができる。
【図面の簡単な説明】
【００１５】
【図１】本発明のマウスパッドの実施の一形態を示す図であり、（ａ）は表面図、（ｂ）は（ａ）に示したＡ−Ａ’断面図、（ｃ）は内部構造を示す図である。
【図２】図１に示したマウスパッドによって電力が供給されるマウスを示す図であり、（ａ）は外観斜視図、（ｂ）は側面図、（ｃ）は内部構造を示す図である。
【図３】図２に示したマウスを図１に示したマウスパッド上にて操作する際のマウスパッドの動作を説明するための図である。
【発明を実施するための形態】
【００１６】
以下に、本発明の実施の形態について図面を参照して説明する。
【００１７】
図１は、本発明のマウスパッドの実施の一形態を示す図であり、（ａ）は表面図、（ｂ）は（ａ）に示したＡ−Ａ’断面図、（ｃ）は内部構造を示す図である。
【００１８】
本形態は図１に示すように、２枚の保護シート４０ａ，４０ｂ間に、太陽電池部１０、電力供給手段である送電部２０及び二次電池３１が埋め込まれたスポンジ４３が挟み込まれて構成されている。
【００１９】
太陽電池部１０は、フィルムシート（不図示）上に、例えば、白金からなる電極間に、色素がついた酸化チタンを含有するヨウ素溶液が配されて構成され、複数のセルに分割された状態で、送電部２０を構成する伝送コイル２１の周囲に配置されている。そして、太陽光等の光を受光することにより発電する。
【００２０】
二次電池３１は、太陽電池部１０にて発電した電力を蓄電するものである。
【００２１】
送電部２０は、送電回路２２と伝送コイル２１とから構成されており、送電回路２２は、二次電池３１に蓄電された電力を伝送コイル２１に供給し、また、伝送コイル２１は、送電回路２２から供給された電力を送電する。
【００２２】
２枚の保護シート４０ａ，４０ｂのうち、マウスの操作面側の保護シート４０ａは、太陽電池部１０に対向する領域のみが透明な材料からなる透明部４１となっており、その他の領域は着色印刷が施された着色部４２となっている。
【００２３】
スポンジ４３は、太陽電池部１０、送電部２０及び二次電池３１を埋め込むための孔部を有し、この孔部に、太陽電池部１０、送電部２０及び二次電池３１が、これら太陽電池部１０、送電部２０及び二次電池３１のうち太陽電池部１０及び伝送コイル２１が保護シート４０ａ側に表出するように埋め込まれている。
【００２４】
また、マウスパッド１の端部には、スイッチ３２が設けられている。このスイッチ３２は、二次電池３１と送電回路２２との接続をＯＮ／ＯＦＦ制御するものであって、それにより、二次電池３１に蓄電された電力の送電回路２２への供給を制御する。
【００２５】
以下に、上記のように構成されたマウスパッド１の使用方法について説明する。
【００２６】
まず、図１に示したマウスパッド１によって電力が供給されるマウスについて説明する。
【００２７】
図２は、図１に示したマウスパッド１によって電力が供給されるマウスを示す図であり、（ａ）は外観斜視図、（ｂ）は側面図、（ｃ）は内部構造を示す図である。
【００２８】
図１に示したマウスパッド１によって電力が供給されるマウスは図２に示すように、その上面に、コンピュータ上における情報を指定する際に押下するための２つのボタン５０ａ，５０ｂが設けられており、その下面には、コンピュータ上における座標を指定するためのトラックボール７０が回転可能に取り付けられている。また、その前面には、ボタン５０ａ，５０ｂの押下情報とトラックボール７０の回転情報とをコンピュータに無線送信する無線データ送信部８２が設けられている。さらに、マウス２には、その下面に、図１に示したマウスパッド１から送電された電力を受電するための伝送コイル６１が設けられており、伝送コイル６１にて受電された電力は、受電回路６２を介して二次電池８１に供給され、二次電池８１に蓄電される。なお、伝送コイル６１と受電回路６２とから受電部６０が構成される。
【００２９】
上記のように構成されたマウス２においては、二次電池８１に蓄電された電力によって動作する。マウス２をマウスパッド１上にて前後左右に移動させると、その移動に伴ってトラックボール７０が回転する。トラックボール７０の回転は、回線検出部７１にて検出され、無線データ送信部８２を介してその回転情報がコンピュータに送信され、コンピュータ上の座標が特定される。また、ボタン５０ａ，５０ｂが押下されると、そのボタン５０ａ，５０ｂの押下は、押下検出部５１にて検出され、無線データ送信部８２を介してその押下情報がコンピュータに送信され、コンピュータ上の情報が指定される。なお、図１に示したマウスパッド１によって電力が供給されるマウスとしては、図２に示したような構成を有するものに限らず、その他に例えば、コンピュータ上の座標を特定するものとして、トラックボール７０の回転を検出するものではなく、光学的にその座標を特定するもの等、マウスパッド１から送電された電力を受電可能なものであれば様々なものを使用することができる。
【００３０】
次に、図２に示したマウス２を図１に示したマウスパッド１上にて操作する際のマウスパッド１の動作について説明する。
【００３１】
図３は、図２に示したマウス２を図１に示したマウスパッド１上にて操作する際のマウスパッド１の動作を説明するための図である。
【００３２】
図１に示したマウスパッド１は、図３（ａ）に示すように、保護シート４０ａが上面となるように机上等に載置されることにより、保護シート４０ａ側がマウス２の操作面として使用される。
【００３３】
図１に示したマウスパッド１が、保護シート４０ａが上面となるように机上等に載置されると、スポンジ４３に埋め込まれた太陽電池部１０が保護シート４０ａ側にて表出しているとともに、保護シート４０ａのうち、太陽電池部１０に対向する領域が透明部４１となっているため、図３（ａ）に示すように、太陽光等の光が照射されると、この光がマウス２の操作面となる保護シート４０ａの透明部４１を介して太陽電池部１０にて受光される。
【００３４】
太陽電池部１０においては、保護シート４０ａの透明部４１を介して光を受光すると、受光した光によって発電し、その発電による電力が二次電池３１に供給される。そして、二次電池３１に供給された電力が二次電池３１にて蓄電される。これにより、マウスパッド１が、保護シート４０ａが上面となるように机上等に載置されるだけで、二次電池３１に対する蓄電が行われることになる。
【００３５】
二次電池３１に蓄電された電力は、送電回路２２を介して伝送コイル２１に供給され、伝送コイル２１に供給された電力に応じた電流が伝送コイル２１に流れる。すると、伝送コイル２１のコア部分から放出される方向、すなわち、マウス２の操作面に向かう方向とその反対に向かう方向とに磁界が発生する。
【００３６】
そして、このマウスパッド１上にてマウス２が操作されている等して、マウスパッド１上にマウス２が存在していると、伝送コイル２１を流れる電流によって発生した磁界が、マウス２の伝送コイル６１のコア部分を貫通し、それにより、マウス２の伝送コイル６１にも電流が流れる。これにより、図３（ｂ）に示すように、マウスパッド１の伝送コイル２１によって、二次電池３１に蓄電された電力が、マウス２の操作面に向かう方向に送電され、送電された電力がマウス２の伝送コイル６１に非接触で受電されることになる。
【００３７】
なおこの際、マウスパッド１が載置される机等が金属からなるものであったり、マウスパッド１とこのマウスパッド１が載置される机等との間に金属が介在したりする場合、上述したように磁界が生じることが妨げられてしまう。そこで、マウスパッド１の伝送コイル２１の保護シート４０ｂ側に磁性体シートを挿入することも考えられる。
【００３８】
マウス２の伝送コイル６１を流れる電流によって生じた電力は、受電回路６２を介して二次電池８１に供給され、二次電池８１が蓄電される。そして、二次電池８１に蓄電された電力が、押下検出部５１、回転検出部７１及び無線データ送信部８２にそれぞれ供給され、マウス２が動作することになる。
【００３９】
ここで、マウスパッド１に設けられたスイッチ３２の使用方法及びそれによるマウスパッド１の動作について説明する。
【００４０】
上述したように、本形態のマウスパッド１には、二次電池３１に蓄電された電力の送電回路２２への供給を制御するためのスイッチ３２が設けられており、外部から操作可能となっている。
【００４１】
本形態のマウスパッド１は、二次電池３１に蓄電された電力が送電回路２２及び伝送コイル２１を介してマウス２の操作面に向かって送電されている。そのため、この電力を受電したマウス２の二次電池８１の蓄電状態が満状態の場合であっても、二次電池３１に蓄電された電力が送電され続けることとなり、それにより、二次電池３１に蓄電された電力が無駄に消費されてしまうことになる。そこで、マウス２を使用しない状態においてマウスパッド１上に載置している場合に、スイッチ３２によって、二次電池３１と送電回路２２との接続をＯＦＦ状態に設定する。すると、二次電池３１に蓄電された電力が送電回路２２及び伝送コイル２１を介して送電されなくなり、それにより、二次電池３１に蓄電された電力が無駄に消費されてしまうことが回避される。これは、例えば、コンピュータを使用しているもののマウス２を使用していない場合や、コンピュータを使用していない場合等、マウス２の二次電池６１に蓄電された電力が消費されない状態において、スイッチ３２によって二次電池３１と送電回路２２との接続をＯＦＦ状態に設定することが考えられる。
【００４２】
また、本形態のマウスパッド１においては、二次電池３１に蓄電された電力がマウス２の操作面に向かって送電されている。これは、微弱な電力であれば人体に影響がないが、送電される電力が微弱なものではない場合、その電力が送電されているマウスパッド１上にてマウス２を操作していると、人体に悪影響が及んでしまう。そこで、マウスパッド１上にてマウス２を操作する場合に、スイッチ３２によって、二次電池３１と送電回路２２との接続をＯＦＦ状態に設定する。すると、二次電池３１に蓄電された電力が送電回路２２及び伝送コイル２１を介して送電されなくなり、それにより、伝送コイル２１からの送電によって人体に悪影響が及んでしまうことを回避することができる。
【００４３】
なお、上述したスイッチ３２の２つの操作方法については、互いに相反するものであるが、その用途や目的、あるいは、マウス２の二次電池８１の蓄電状態や、マウスパッド１から送電される電力の大きさに応じて適宜用いればよい。
【００４４】
上述したように本形態のマウスパッド１においては、太陽電池部１０にて光を受光することにより発電し、その電力を非接触でマウス２に送電する構成としたため、マウス２の操作性を低下させることなくマウス２に対してその操作中に非接触で電力を供給することができる。
【００４５】
なお、本形態においては、マウスパッド１の伝送コイル２１に流れた電流によって生じた磁界を用いて、マウスパッド１からマウス２に電力を送電するものを例に挙げて説明したが、本発明はこのような送電に限らず、マウスパッド１の太陽電池部１０にて発電した電力を非接触でマウス２に供給可能なものであればよい。
【００４６】
また、本形態においては、保護シート４０ａの伝送コイル２１に対向する領域が着色部４２となっているが、太陽電池部１０に対向する領域が透明部４１であれば、伝送コイル２１に対向する領域も透明部４１としてもよい。
【符号の説明】
【００４７】
１    マウスパッド
２    マウス
１０    太陽電池部
２０    送電部
２１，６１    伝送コイル
２２    送電回路
３１，８１    二次電池
３２    スイッチ
４０ａ，４０ｂ    保護シート
４１    透明部
４２    着色部
４３    スポンジ
５０ａ，５０ｂ    ボタン
５１    押下検出部
６０    受電部
６２    受電回路
７０    トラックボール
７１    回転検出部
【図１】
2010211462.tif 000003
【図２】
2010211462.tif 000004
【図３】
2010211462.tif 000005